(57)【要約】【課題】  洋式大便器と小便器の両方の利点を合わせもつ、座式大小便に対応し、立式小便時にも小便の飛散を防止し、さらに座式大小便時に安定感をもつ便器及び便座を提供する。【解決手段】  便器開口部２に水平面からの傾斜部３を設け、便座４には前記傾斜部３を覆う開閉自在の閉部５を設ける。【選択図】図１
2008169680.tif 000002
【特許請求の範囲】
【請求項１】
便器開口部（２、９、１７、２５、３３、４１、４８、５６、６４）に、水平面からの傾斜部（３、１０、１８、２６、３４、４２、４９、５７、６５）を設け、便座（４、１１、１９、２７、３５、４３、５０、５８、６６）には前記傾斜部（３、１０、１８、２６、３４、４２、４９、５７、６５）を覆う開閉自在の閉部（５、１２、２０、２８、３６、４４、５１、５９、６７）を設けた立式座式兼用便器及びその便座。
【請求項２】
便座（１１、１９、２７、３５、４３、５８、６６）に折り畳み部（１３、２１、２９、３７、４５、６０、６８）を設けた請求項１記載の立式座式兼用便器及びその便座。
【請求項３】
便座（５０、５８、６６）に肘掛け部（５２、６１、６９）を設けた請求項１又は２記載の立式座式兼用便器及びその便座。
【発明の詳細な説明】
【発明の詳細な説明】
【技術分野】
【０００１】  本発明は、便器開口部に水平面からの傾斜部を設け、便座には前記傾斜部を覆う開閉自在の閉部を設けた便器及びその便座に関する。
【背景技術】
【０００２】  従来の便器では、小便器においては、使用目的が立式小便のみにおかれ、洋式大便器においては、立式座式兼用ではあるものの、便器開口部全体が水平で便座の開閉のみにて、立式小便に対応している。
【発明が解決しようとする課題】
【０００３】  従来の洋式大便器にあっては、立式小便時に小便の飛散が多々有り、飛散防止ガード等も考案されているが、衛生面や維持費用、清掃時の負担に問題点があった。
【０００４】  本発明は座式大小便に対応し、立式小便時にも小便の飛散を防止し、衛生的で維持費用、清掃時の負担の軽減等、洋式大便器と小便器の両方の利点を合わせもち、さらに座式大小便時の安定感を提供することを目的としている。
【課題を解決するための手段】
【０００５】  上記目的を達成するために、本発明の便器及びその便座においては、便器開口部に水平面からの傾斜部を設け、便座には前記傾斜部を覆う開閉自在の閉部を設けたものである。
【０００６】  上記便座は、そのまま開閉することが可能であるが、便座に折り畳み部を設けることができる。
【０００７】  また、便座に設けた傾斜部を覆う閉部から便座にかけて肘掛けを設けることもできる
【０００８】  また、便座に設けた傾斜部を覆う閉部を背もたれに適した形状にしたものが好ましい。また、立式小便時において、開口部の前部を小便器と同様に角状にしたものが好ましい。
【発明を実施するための最良の形態】
【０００９】  発明の実施の形態を実施例にもとづき図面を参照して説明する。
図１、２、３において、便器本体１の開口部２に水平面からの傾斜部３を設け、便座４には傾斜部３を覆う閉部５を設け、閉部５の上端を便器本体１に取り付け部６によって取り付ける。【００１０】  図４、５、６に示される実施例では、便座１１に折り畳み部１３を設ける。【００１１】  図７、８に示される実施例では、閉部２０の側端と便器本体１６に取り付け部２２によって取り付ける。【００１２】  図９に示される実施例では、便座２７の側端を便器本体２４に取り付け部３０によって取り付ける。【００１３】  図１０に示される実施例では、便器本体３２に、レール部３９を設け、閉部３６の両側端を前記レール部３９に、はめ込む。【００１４】  図１１、１２に示される実施例では、閉部４４に複数の折り畳み部４５を設け、便器本体４０に閉部巻き込み部４６を設ける。【００１５】  図１３、１４に示される実施例では、閉部５１から便座５０にかけて肘掛け部５２を設ける。【００１６】  図１５、１６に示される実施例では、便座５８と肘掛け部６１を一体化して設ける。【００１７】  図１７、１８に示される実施例では、便器本体６３の開口部６４に段階をつけた傾斜部６５を設け、前記段階をつけた傾斜部６５に合わせた肘掛け部６９を設ける。
【発明の効果】
【００１８】  本発明は、以上説明したように構成されているので、以下に記載されるような効果を奏する。
【００１９】  便器本体の開口部に水平面からの傾斜部を設けることにより、立式小便としての使用時には、閉部及び便座を開けると、小便器と同様の飛散防止及び水洗効果を得ることができる。
【００２０】  また、便座に傾斜部を覆う閉部を設けることにより、座式大小便としての使用時には、閉部及び便座を閉めると、洋式大便器と同様に、傾斜部の衛生面等を気にすることなく使用でき、かつ同様の水洗効果を得ることができる。
【００２１】  そして、便座に折り畳み部を設けることにより立式小便使用時に便座を開ける為のスペースを小さくすることができる
【００２２】  さらに、傾斜部を覆う閉部から便座にかけて肘掛けを設けたり、背もたれに適した形状にすることにより、座式大小便時に、肉体的及び精神的な癒し感や安定感を提供でき要介護者にも適している。
【００２３】  また、開口部の前部を角状にすることにより、立式小便時の小便の飛散をさらに防止することができる。
【図面の簡単な説明】
【図１】  立式座式兼用便器の実施例を示す斜視図である。
【図２】  立式座式兼用便器の実施例を示す斜視図である。
【図３】  立式座式兼用便器の実施例を示す斜視図である。
【図４】  立式座式兼用便器の実施例を示す斜視図である。
【図５】  立式座式兼用便器の実施例を示す斜視図である。
【図６】  立式座式兼用便器の実施例を示す斜視図である。
【図７】  立式座式兼用便器の実施例を示す斜視図である。
【図８】  立式座式兼用便器の実施例を示す斜視図である。
【図９】  立式座式兼用便器の実施例を示す斜視図である。
【図１０】  立式座式兼用便器の実施例を示す斜視図である。
【図１１】  立式座式兼用便器の実施例を示す斜視図である。
【図１２】  立式座式兼用便器の実施例を示す斜視図である。
【図１３】  立式座式兼用便器の実施例を示す斜視図である。
【図１４】  立式座式兼用便器の実施例を示す斜視図である。
【図１５】  立式座式兼用便器の実施例を示す斜視図である。
【図１６】  立式座式兼用便器の実施例を示す斜視図である。
【図１７】  立式座式兼用便器の実施例を示す斜視図である。
【図１８】  立式座式兼用便器の実施例を示す斜視図である。
【符号の説明】
１、８、１６、２４、３２、４０、４７、５５、６３    便器本体
２、９、１７、２５、３３、４１、４８、５６、６４    開口部
３、１０、１８、２６、３４、４２、４９、５７、６５  傾斜部
４、１１、１９、２７、３５、４３、５０、５８、６６  便座
５、１２、２０、２８、３６、４４、５１、５９、６７  閉部
１３、２１、２９、３７、４５、６０、６８            折り畳み部
５２、６１、６９                                    肘掛け部
６、１４、２２、３０、５３、６２、７０              取り付け部
３９                                                レール部
４６                                                閉部巻き込み部
【図１】
2008169680.tif 000003
【図２】
2008169680.tif 000004
【図３】
2008169680.tif 000005
【図４】
2008169680.tif 000006
【図５】
2008169680.tif 000007
【図６】
2008169680.tif 000008
【図７】
2008169680.tif 000009
【図８】
2008169680.tif 000010
【図９】
2008169680.tif 000011
【図１０】
2008169680.tif 000012
【図１１】
2008169680.tif 000013
【図１２】
2008169680.tif 000014
【図１３】
2008169680.tif 000015
【図１４】
2008169680.tif 000016
【図１５】
2008169680.tif 000017
【図１６】
2008169680.tif 000018
【図１７】
2008169680.tif 000019
【図１８】
2008169680.tif 000020